(57)【要約】      （修正有）【課題】塀のコーナー部において、塀パネルの両側に支柱を取付ける際に、支柱に対して塀パネルを入隅にも出隅にも配置可能となされ、且つ支柱の前方側から支柱と塀パネルとの接続箇所が露出しないようになされた支柱と塀パネルとの接続構造を提供する。【解決手段】支柱１に接続部材３を介して塀パネル２が接続され、接続部材３は、支柱１の前面を覆って取付けられる支柱取付部材５と、塀パネル２のパネル本体２１の側端部に取付けられる縦枠材６と、支柱取付部材５と縦枠材６とを回動可能に連結するヒンジ部材７とを備え、且つ、支柱取付部材５には、ヒンジ部材７の前面側を覆う被覆部５１が設けられると共に、パネル本体２１の側端部に取付けられたカバー材４の先端部４２が支柱取付部材５の被覆部５１の前面側に当接されるように構成する。【選択図】図６
2010168841.tif 000002
【特許請求の範囲】
【請求項１】
支柱に接続部材を介して塀パネルが接続され、前記接続部材は、支柱の前面を覆って取付けられる支柱取付部材と、前記塀パネルのパネル本体の側端部に取付けられる縦枠材と、前記支柱取付部材と縦枠材とを回動可能に連結するヒンジ部材とを備え、且つ、前記支柱取付部材には、前記ヒンジ部材の前面側を覆う被覆部が設けられると共に、前記パネル本体の側端部に取付けられたカバー材の先端部が前記支柱取付部材の被覆部の前面側に当接されるようになされたことを特徴とする支柱と塀パネルとの接続構造。
【請求項２】
前記接続部材の縦枠材とヒンジ部材との間には、支柱取付部材の被覆部の先端部が出入可能となされた空間部が形成されていることを特徴とする請求項１に記載の支柱と塀パネルとの接続構造。
【発明の詳細な説明】
【技術分野】
【０００１】
本発明は、例えば、めかくし塀、フェンス等に用いられる支柱と塀パネルとの接続構造に関するものである。
【背景技術】
【０００２】
一般に、工場や住宅地の敷地境界部や隣地境界部においては、通行人等に対するめかくしや侵入防止を目的にめかくし塀やフェンス等が設置されている。これらの塀やフェンスのコーナー部においては、円形の支柱まわりにバンド金具を巻き回して支柱の両側に塀パネルを支持するものや、コーナーの角度に応じて形成した支柱に塀パネルを取付けるもの、或いは、コーナー部を形成する２個の塀パネルを２個の支柱でそれぞれ支持して、塀パネルの角部を連結部材等で連結したもの等様々な形態が提案されている。
【０００３】
例えば、支柱の側面に複数個の取付具を上下に適当間隔を置いて付設し、この取付具に遮塀体支承機を付設し、この遮塀支承機に遮塀体を付設し、この遮塀体を支柱に対し水平前後回動自在に設け、この回動を可能にする間隙を支柱の側面と遮塀体支承機の背面との間に介在した塀取付具が開示されている（特許文献１参照。）。
【０００４】
又、上下位横桟端部に被嵌固定し，基板の側面突出状に突設した支軸及び前後幅方向背面側に側面突出状に突設した支軸と同心円上の湾曲突条とを具備した隣接フェンスの各フェンス端枠と，背面基板から前方に突出した突出条に両側方張出しの中空部を形成するように配設し，上記フェンス端枠の前後幅方向前方側面を受止め可能な一対の傾斜受壁，背面側に突出条とともに上記湾曲突条を摺接案内する一対の湾曲ガイド壁，上記傾斜受壁と該湾曲ガイド壁間にして傾斜受壁両側端に位置し，上記フェンス端枠の支軸を被嵌保持して該支軸と連結する軸受を有する中空連結部を具備し，上記フェンス端枠より下方に延設したアルミ押出材一体成型の連結支柱とを備えた角度自在のフェンス連結装置が開示されている（特許文献２参照。）。
【先行技術文献】
【特許文献】
【０００５】
【特許文献１】実開平７−１１６７３号公報
【特許文献１】特開平８−３０３０７０号公報
【発明の概要】
【発明が解決しようとする課題】
【０００６】
しかしながら、前記の塀取付具には以下の点で問題であった。すなわち、支柱と遮蔽体との間に隙間が生じるため、支柱の前面側で発生する騒音の遮音が通行人へのめかくしの効果が低下するものであり、又取付具が露出しているので、外観上も好ましくなかった。又、前記のフェンス連結装置については、フェンス端枠の背面側に湾曲突条を有する点から、中空支柱に対して隣接フェンスを入隅状に配置することは容易であるが、出隅状に配置すると湾曲突条と中空支柱とが干渉しやすくなり、加えてフェン端枠の支軸と中空支柱の軸受と嵌合部分が露出するため外観上好ましくなく、この点が問題であった。
【０００７】
本発明は、前記の如き問題点を解消し、塀パネルの両側に支柱を取付ける際に支柱に対して塀パネルを入隅にも出隅にも配置可能となされ、且つ支柱の前方側から支柱と塀パネルとの接続箇所が露出しないようになされた支柱と塀パネルとの接続構造を提供せんとするものである。
【課題を解決するための手段】
【０００８】
上記目的を達成するために、本発明は次のような構成としている。
すなわちこの発明に係る支柱と塀パネルとの接続構造は、支柱に接続部材を介して塀パネルが接続され、前記接続部材は、支柱の前面を覆って取付けられる支柱取付部材と、前記塀パネルのパネル本体の側端部に取付けられる縦枠材と、前記支柱取付部材と縦枠材とを回動可能に連結するヒンジ部材とを備え、且つ、前記支柱取付部材には、前記ヒンジ部材の前面側を覆う被覆部が設けられると共に、前記パネル本体の側端部に取付けられたカバー材の先端部が前記支柱取付部材の被覆部の前面側に当接されるようになされたことを特徴とするものである。
【０００９】
又本発明に係る支柱と塀パネルとの接続構造において、前記接続部材の縦枠材とヒンジ部材との間に、支柱取付部材の被覆部の先端部が出入可能となされた空間部を形成した構成としてもよい。
【発明の効果】
【００１０】
本発明によれば、前記接続部材は、支柱の前面を覆って取付けられる支柱取付部材と、前記塀パネルのパネル本体の側端部に取付けられる縦枠材と、前記支柱取付部材と縦枠材とを回動可能に連結するヒンジ部材とを備えているので、支柱を挟んで配置された塀パネルを出隅状にも入隅状にも配置することができ、加えて、前記支柱取付部材には、前記ヒンジ部材の前面側を覆う被覆部が設けられているので、支柱と塀パネルとの間を隠蔽して意匠性を高めることができ、更に前記パネル本体の側端部に取付けられたカバー材の先端部が前記支柱取付部材の被覆部の前面側に当接されるようになされてので、支柱前方側で発生した騒音を反射して後方側への伝播を遮ることができる。
【００１１】
又、前記接続部材の縦枠材とヒンジ部材との間に、支柱取付部材の被覆部の先端部が出入可能となされた空間部を形成した構成とすれば、支柱に対して塀パネルの可動角度をより広く設定することができる。
【図面の簡単な説明】
【００１２】
【図１】本発明に係る支柱と塀パネルとの接続構造における第１の実施形態を示す正面図である。
【図２】図１の背面図である。
【図３】図１のＡ−Ａ断面における主要部の縦断面図である。
【図４】図１の塀パネルの拡大斜視図である。
【図５】図３の塀パネルの部分分解斜視図である。
【図６】図１のＢ−Ｂ断面における主要部の横断面図である。
【図７】図６の説明図である。
【図８】図６の分解説明図である。
【図９】図１の変形を示す正面図である。
【図１０】本発明に係る支柱と塀パネルとの接続構造における第２の実施形態を示す主要部の断面図である。
【発明を実施するための形態】
【００１３】
次に、本発明を実施するための最良の形態について図面を参照し、具体的に説明する。
【００１４】
図面において、１は地表に立設された支柱、２は支柱１に接続される塀パネル、３は支柱１と塀パネルとを接続する接続部材、４は塀パネル２の側端部に取付けられるカバー材であり、本発明に係る支柱と塀パネルとの接続構造は、支柱１、塀パネル２、接続部材３、及びカバー材とから主に構成され、塀パネル２は支柱１に対して接続部材３を軸として回動可能に接続されたものである。
【００１５】
図１〜９は本発明に係る支柱と塀パネルとの接続構造における第１の実施形態の説明図であり、図１，２はその正面図と背面図である。支柱１は、下部が地中に埋設されて地表に立設されている。又、支柱１の上部の頂部にはキャップが取付けられ、見栄えをよくすると共に、雨水などが支柱１の内部に浸入するのを防止している。支柱１の材質は、塀パネル２が取付けられることを考慮すると金属製のものを用いるのが好ましく、強度的に安定しておりコストの安い鋼管が好適に用いられるが、鋼管に限られるものではなく、アルミニウム合金やステンレス鋼等の他の金属を用いたものでもよい。又、支柱１の形状は、本実施形態では、断面矩形状となされているが、接続部材３が取付けられる形状であれば、断面円形でもよく、多角形状に形成されたものでもよい。
【００１６】
塀パネル２は、支柱１の側方に接続部材３を介して取付けられるものであり、平板状のパネル本体２１とパネルの上下に取付けられる上枠２２及び下枠２３とを備えている。
【００１７】
図３〜５は、図１の塀パネル２の説明図であり、図３は図１のＡ−Ａ断面における縦断面図、図４は塀パネル２の上端部において後方側の拡大斜視図、図５は塀パネル２の上端部の部分分解説明図であり、パネル本体２１と上枠２２との関係を示すものである。塀パネル２のパネル本体２１の上端部は、上枠２２の長手方向に沿って下方に向けて開口する溝部２４に挿入固定されている。尚、図示していないが、下枠２３は上枠２２と同様な形態であり、パネル本体２１の下端部が、下枠２３の長手方向に沿って上方に向けて開口する溝部に挿入固定されているものである。そして、図３に示すように、塀パネル２の側端部は上枠２２の側端部から側方に突出されて固定されている。図示していないが、パネル本体２１の下方も、下枠２３の側端部から側方に突出されて固定されている。
【００１８】
パネル本体２１は、本実施形態では、合成樹脂からなるシート状樹脂板の表裏に金属箔を貼着した積層板であり、金属箔の表面には塗装が施されている。尚、パネル本体２１は、前記積層板に限られるものではなく、金属板でもよく、或いは透明板材や乳白色の板材を用いて透光性を付与したものを用いてもよい。
【００１９】
図３に示すように、上枠２２は、本実施形態では、長手方向延び内部が中空となされた筒状部２５が設けられると共に、筒状部２５の下端に前記溝部２４が設けられている。そして溝部２４は、前側壁２４ａと後側壁２４ｂとを有し、前側壁２４ａの内壁部には後側壁２４に向けて突出する突状２４ｃが長手方向に沿って形成されている。後側壁２４ｂの内壁部には長手方向に沿って弾性体２４ｄが取付けられている。この突状２４ｃと弾性体２４ｄとにパネル本体２１の上端部が圧入されると共に、後側壁２４ｂの外側からパネル本体２１を貫通して前側壁２４ａに向けて螺入された固定ビスＢ１により、パネル本体２１の上下及び左右方向の動きを規制するし、そして、パネル本体２１の前面を凸条２４ｃに押し当てて、前側壁２４ａによる弾性反発により、より強固にパネル本体２１の上端部を固定するものである。下枠２３は、上枠２２と同様な形態であるので説明は省略する。
【００２０】
更に、図４，５に示すように、上枠２２の側端部には端部材２６が取付けられている。端部材２６は、上枠２２の側端部を隠蔽する外板部２６ａと上枠２２の筒状部２５内に挿入される内板部２６ｂとを備えている。そして、端部材２６の外側から筒状部２５内に設けられたビスホール２５ａに向けて螺入される固定ビスＢ２により、端部材２６が上枠２２に固定され、内板部２６ｂは筒状部２５の後側内壁面に沿って配置されている。
【００２１】
上枠２２、下枠２３は、本実施形態では、アルミニウム合金の押出型材からなる長尺体を適宜長さに切断して用いたものである。これにより、内部を中空とすることにより前後方向の厚さの設計を容易にし、強度を高めることができるので好ましい。尚、上枠２２、下枠２３の他の実施例としては、合成樹脂の押出成型品や、鋼板やステンレス合金等の金属板を折り曲げ加工した形態等を挙げることができる。要は、パネル本体２１の上下端部を強固に支持できる形態であればよい。
【００２２】
図６は、図１のＢ−Ｂ断面における拡大横断面図であり、支柱１と塀パネル２との接続構造を示すものである。接続部材３は、図１，２，６に示すように、支柱１の前面に取付けられる支柱取付部材５と、塀パネル２のパネル本体２１の側端部背面側に配置される縦枠材６と、支柱取付部材５と縦枠材６とを回動可能に連結するヒンジ部材７とからなる。そして、ヒンジ部材７を構成する一方の取付部７１が支柱取付部材５の背面に取付けられ、他方の取付部７２が縦枠材６に取付けられ、取付部７１，７２が軸棒を介して互いに回動可能に連結されている。
【００２３】
支柱取付部材５は、図１に示すように、縦板状で支柱１の前面に取付けられ、支柱１の前面をほぼ覆うものである。そして、図６に示すように、支柱取付部材５の側端部には、支柱取付部材５の背面側に取付けられているヒンジ部材７の前面側を覆う被覆部５１が設けられている。支柱取付部材５の本体と被覆部５１とにより、取付部７１及び軸部の前面側を覆っている。
【００２４】
縦枠材６は、図６に示すように、塀パネル２のパネル本体２１の側端部背面側に取付けられる平板状の前板部６１と、前板部６１の一側端が後方に折曲されると共に前記ヒンジ部材７の取付部７２が取付けられる側板部６２と、側板部６２の側端が塀パネル２側に折曲されると共に塀パネル２の上枠２２、下枠２３の背面に取付けられる平板状の後板部６３とを備えた平面視略コ字状に形成されている。
【００２５】
ヒンジ部材７は、本実施形態では、図２に示すように、塀パネル２の上枠２２、下枠２３と同じ高さ位置に配置されて取付けされているが、ヒンジ部材７の取付数は特に限定されるものではなく、図２に示した上下のヒンジ部材７の間に別のヒンジ部材７を設けてもよく、支柱取付部材５とパネル取付板部５とがヒンジ部材７により互いに回動可能でかつ強固に連結されるものであればよい。
【００２６】
接続部材３を構成する各部材の材質は、支柱１と塀パネル２とを接続することを考慮すると、強度的に安定しておりコストの安い鋼材を適宜加工したものが好適に用いられるが、例えば、アルミニウム合金やステンレス鋼材等の他の金属材料を用いてもよい。
【００２７】
カバー材４は、図１，６に示すように、塀パネル２のパネル本体２１の側端部前面に取付けられ、パネル本体２１、上枠２２、及び下枠２３のそれぞれの側端部前面を覆うものである。カバー材４の一方の側端部には上枠２２及び下枠２３の前面に当接される当接板部４１が設けられている。
【００２８】
次に、カバー材４と支柱取付部材５の被覆部５１との関係について詳しく説明する。カバー材４のもう一方の側端部である支柱側の先端部４２は、図６，７に示すように、接続部材３の支柱取付部材５の被覆部５１の前面側に当接されている。この当接構造について更に詳しく説明する。図７は、支柱１に対して塀パネル２を回動させた状態を示すものであり、（ａ）は塀パネル２どうしが出隅状に配置された形態、（ｂ）は塀パネル２どうしが入隅状に配置された形態を示すものである。このように、塀パネル２どうしが入隅状の配置から逆の出隅状の配置まで変化した際においても、カバー材４の先端部４２は被覆部５１の外周面に当接されている。これにより塀パネル２と支柱との間を前面側から隠蔽すると共に、支柱１の前面側で生じた騒音等を遮ることができる。
【００２９】
被覆部５１の形態は、ヒンジ部材７の支軸に対して同心円状の平面視円弧状の形態でもよいが、本実施形態では、被覆部５１は支柱の前方側に台形状に突出して形成されている。すなわち、ヒンジ部７の軸と前記台形の上底の左右角部及び上底の左右の斜辺の先端部の間の距離が略等しくなされている。そして、塀パネル２が図７の（ａ）に示すように出隅状に配置された時は、カバー材４の先端部４２が支柱取付部材５の被覆部５１の先端部に当接し、続いて図６に示すように塀パネル２どうしがほぼ一直線状に配置させる際は、先端部４２が、被覆部５１の台形における前記一方の角部５２を乗り越えて台形の上底に当接し、さらに、図７の（ｂ）に示すように入隅状に配置された時は、被覆部５１の台形における前記他方の角部５３を乗り越えて、台形の斜辺部に当接する。従って、前記角部５２又は角部５３を乗り越えるときに抵抗があるため、その抵抗の有無で回動角度が概略確認できる。また、角部５２と角部５３との間の上底、或いは上底の左右の斜辺部にカバー材４の先端部４２が当接されていれば、先端部４２が不用意に前記角部５２、５３を乗り越えて移動したり、被覆部５１の先端部を超えて外れたりするような不具合が起こりにくくなり好ましい。尚、他の実施形態としては、被覆部５１を多角形状とし、ヒンジ部７の軸と前記多角形状の各角部との間の距離を略等しくしたものを挙げることができる。要は、塀パネル２の可動範囲において、被覆部５１の前面側にカバー材４の先端部４２が当接していればよい。尚、カバー材４の先端部４２は、被覆部５１をヒンジ部材７側に押圧するように取付ければ、被覆部５１に対して確実に当接させることができるので好ましいが、例えば、カバー材４を塀パネル２のパネル本体２１に取付ける際、カバー材４の（図示せず）を左右方向に広幅の横長孔とすれば、カバー材４の先端部４２と支柱取付部材５の被覆部５１の当接状態を調整することができる。
【００３０】
更に、縦枠材６とヒンジ部材７の取付部７２との間には、支柱取付部材５の被覆部５１の先端部５４が出入可能な空間部６４が設けられている。これにより、塀パネル２どうしを入隅状に配置したときに、塀パネル２を支柱２の前面側に比較的大きく回動させることができる。本実施形態では、縦枠材６において、前板部６１と側板部６２との角部が内方に向けて凹んだ凹み部６５が設けられている。これにより、凹み部６５を設けたことによる縦枠材６の強度低下を殆ど伴わずに、被覆部５１の先端部５４が出入りする空間部６４を容易に形成することができる。
【００３１】
図８は、図６の部分分解説明図であり、支柱１に対する塀パネル２の接続方法の一形態を示すものである。先ず（ａ）に示すように、支柱取付部材５の取付孔（図示せず）及び支柱１の前後の取付孔（図示せず）固定ボルトＢ３を貫通させ、ナットＮ、ワッシャーＷ、スプリングワッシャーＳを用いて支柱１の前面に支柱取付板部５を締結する。支柱取付板部５は本実施形態では縦板状であるが、例えば、支柱１が断面円形状であれば、支柱取付板部５の背面側を支柱１の外周面に沿った凹状に形成してもよい。そして、支柱取付部材５の取付孔（図示せず）からその背面側に配置されたヒンジ部材７の取付部７１の取付孔（図示せず）に固定ボルトＢ４を貫通させ、ナットＮ、ワッシャーＷ、スプリングワッシャーＳを用いて支柱取付部材５の背面にを取付部７１を取付ける。次に（ｂ）に示すように、ヒンジ部材７の取付部７２の取付孔（図示せず）から縦枠材６の側板部６２の取付孔（図示せず）に固定ボルトＢ５を貫通させ、ナットＮ、ワッシャーＷ、スプリングワッシャーＳを用いて側板部６２に取付部７２を取付ける。
【００３２】
続いて、図８の（ｃ）に示すように、縦枠材６の前面板６１の前面に塀パネル２のパネル本体２１の側端部を配置し、は後面板６３の前面に塀パネル２の上枠２２の側端部背面を配置する。そして、後板部６３の取付孔（図示せず）から上枠２２の側端部背面の取付孔（図示せず）に固定ボルトＢ６を貫通させる。本実施形態では、上枠２２の側端部に取付けられた端部材２６の内面板２６ｂには、前記上枠２２の取付孔の位置と同じ位置にバーリング加工された取付孔２６ｃが設けられており、前記固定ボルトＢ６が取付孔２６ｃに螺着されてることで、後板部６３に塀パネル２の上枠２２が取付けられる。次に、塀パネル２の前方にカバー材４を配置し、カバー材４の取付孔（図示せず）からパネル本体２の側端部の取付孔（図示せず）に固定ビスＢ７を挿入し、パネル背面板６の前板部６１に設けられたバーリング加工された取付孔６１ａに前記固定ビスＢ７を螺着させることにより、カバー材４をパネル本体２１の前面に取付ける。
【００３３】
これらの構造により、パネル本体２１の側端部がカバー材４と前板部６１との間で締結される。そして、カバー材の当接板部４１とパネル背面部６の後板部６３との間に上枠２２が固定され、パネル本体２１が側面視弓状の撓みを抑えることができる。
【００３４】
更に、カバー材４をパネル本体２１に取付けた際、カバー材４の当接板部４１の背面が上枠２２の前面を押圧するようにすれば、上枠２２、下枠２３に対するパネル本体２１のがたつきをより強固に抑えることができる。加えて、本実施形態では、当接板部４１を前面側に膨出した平面視逆へ字型にすると共に、当接板部４１の先端部が上枠２２、下枠２３の前面を押圧するようになされているので、カバー材４は、前記パネル本体１の側面視弓状の撓みをより効果的に抑えることができる。当接板部４１の他の実施形態としては、平面視弓形等やこれらの側端部先端を内方に折り返した形態等を挙げることができる。
【００３５】
図９は、図１の変形を示す正面図である。図１においては、塀パネル２が上下に２段配置されているのに対して、図９においては塀パネル２が上下に３段配置されている点が異なり、支柱１と塀パネル２との接続構造は同様である。このように、塀パネル２は上下方向に複数段配置してもよく、或いは１段のみでもよい。
【００３６】
図１０は、本発明の支柱と塀パネルとの接続構造において第２の実施形態を示す主要部の横断面図であり、図６に対応するものである。本実施形態は、図６と比べて、支柱取付部材５とヒンジ部材７との関係が異なるものであり、他の構造は同様である。すなわち、ヒンジ部材７の取付部７１は、支柱取付部材５とは接合されずに支柱１の側面に向けて延設されると共に、その端部が支柱１の側面に沿って後方に向けて折曲され、さらにその先端部が支柱１の背面に沿って折曲されたものであり、該取付部７１と支柱とが固定ビスにより接合されたものである。従って、支柱取付部材５は支柱１を介してヒンジ部材７の取付部７１に接続されている。
【符号の説明】
【００３７】
１    支柱
２    塀パネル
２１  パネル本体
２２  上枠
２３  下枠
３    接続部材
４    カバー材
４２  先端部
５    支柱取付部材
５１  被覆部
５４  先端部
６    縦枠材
６４  空間部
７    ヒンジ部材
【図１】
2010168841.tif 000003
【図２】
2010168841.tif 000004
【図３】
2010168841.tif 000005
【図４】
2010168841.tif 000006
【図５】
2010168841.tif 000007
【図６】
2010168841.tif 000008
【図７】
2010168841.tif 000009
【図８】
2010168841.tif 000010
【図９】
2010168841.tif 000011
【図１０】
2010168841.tif 000012